(57)【要約】      （修正有）【課題】ペットシェルタの内部と外部環境の温度差を軽減する。【解決手段】内部温度の異なる複数の部屋に分割され、ペットシェルタ内の温度を制御する温度管理装置を備え、内部温度が複数の部屋全体で漸進的に変化して外部環境の気温と調和するようにされたペットシェルタ。【選択図】図１
0003136351.tif 000002
【実用新案登録請求の範囲】
【請求項１】
異なる内部気温を有する複数の部屋を有するハウジングと、
前記複数の部屋のうちの第１の部屋と外部環境とを繋ぎ、ペットの出入りに用いられる入口と、
前記複数の部屋のうちの２つの隣接する部屋の間に形成された前記ペットの出入りのための開口部と、
前記複数の部屋のうちの第２の部屋における温度を管理するための温度管理装置と、
を備え、
前記内部気温は、前記第２の部屋から前記第１の部屋へと漸進的に変化し、外部環境の気温と調和するペットシェルタ。
【請求項２】
前記温度管理装置は、前記第２の部屋への気流を発生させ、
前記第２の部屋は、更に、隣接する部屋へ直接入る状態から逸れるように前記気流の向きを変える空気ディフレクタ構造を備える、請求項１記載のペットシェルタ。
【請求項３】
前記ハウジングは、更に、
屋根と、
前記屋根の下の複数の壁と、
前記屋根に接続され、前記第１の部屋と隣接する部屋とを分離すると共に前記開口部を有するフレームと、を備え、
前記温度管理装置は、前記フレームに向けて気流を発生させ、
前記フレームは、前記隣接する部屋へ直接入る状態から逸れるように前記気流の向きを変えるための寸法及び構造を有する、請求項１記載のペットシェルタ。
【請求項４】
前記ハウジングは、更に
屋根と、
前記屋根の下の複数の壁と、
前記第１の部屋に関して、前記屋根を支持すると共に前記入口を有する第１のフレームと、
前記第２の部屋に関して、前記第２の部屋と隣接する部屋とを分離すると共に前記開口部を有し、上部で前記屋根と接続した第２のフレームと、
前記第２の部屋に関して、前記温度管理装置を搭載する後壁と、
を備え、
前記温度管理装置は、前記屋根に向けて気流を発生させ、
前記上部は、前記隣接する部屋へ直接入る状態から逸れるように前記気流の向きを変えるための寸法及び構造を有する、請求項１記載のペットシェルタ。
【請求項５】
前記温度管理装置は、
前記第２の部屋に繋がる第１のヒートシンクと、
外部環境に繋がる第２のヒートシンクと、
発電モジュールと、
を備え、
前記発電モジュールの一の側は、前記第１のヒートシンクと前記第２のヒートシンクのうちの一方に接続され、
前記発電モジュールの反対側は、前記第１のヒートシンクと前記第２のヒートシンクのうちの他方に接続された熱導体に接続され、
前記第１のヒートシンクと前記第２のヒートシンクとは、互いの間の伝熱効果を低減するのに十分な距離を互いの間に持つように配置されている、請求項３記載のペットシェルタ。
【請求項６】
前記温度管理装置は、更に、
前記第１のヒートシンクと前記第２のヒートシンクとの間に配置され、前記熱導体を実質的に取り囲む断熱材であって、前記第１のヒートシンクと前記第２のヒートシンクとの間の伝熱効果を低減する前記断熱材を備える、請求項５記載のペットシェルタ。
【請求項７】
前記温度管理装置は、
前記第２の部屋に繋がる第１のヒートシンクと、
外部環境に繋がる第２のヒートシンクと、
発電モジュールと、
を備え、
前記発電モジュールの一の側は、前記第１のヒートシンクと前記第２のヒートシンクのうちの一方に接続され、
前記発電モジュールの反対側は、前記第１のヒートシンクと前記第２のヒートシンクのうちの他方に接続された熱導体に接続され、
前記第１のヒートシンクと前記第２のヒートシンクとは、互いの間の伝熱効果を低減するために十分な距離を互いの間に持つように配置されている、請求項４記載のペットシェルタ。
【請求項８】
前記温度管理装置は、更に、
前記第１のヒートシンクと前記第２のヒートシンクとの間に配置され、前記熱導体を実質的に取り囲む断熱材であって、前記第１のヒートシンクと前記第２のヒートシンクとの間の伝熱効果を低減する前記断熱材を備える、請求項７記載のペットシェルタ。
【請求項９】
前記温度管理装置は、更に、
前記第１のヒートシンクに面して配置され、前記フレームにより向きを変えられる気流を、前記フレームに対して発生させる第１のファンを備える、請求項６記載のペットシェルタ。
【請求項１０】
前記温度管理装置は、更に、
前記第１のヒートシンクに面して配置され、前記第２のフレームの前記上部により向きを変えられる気流を、前記屋根に沿って発生させる第１のファンを備える、請求項８記載のペットシェルタ。
【請求項１１】
前記温度管理装置は、更に、
前記第２のヒートシンクを通って外部環境へ入る気流を発生させる第２のファンを備える、請求項９記載のペットシェルタ。
【請求項１２】
前記温度管理装置は、更に、
前記第２のヒートシンクを通って外部環境へ入る気流を発生させる第２のファンを備える、請求項１０記載のペットシェルタ。
【請求項１３】
前記温度管理装置は、
前記第２の部屋に繋がる第１のヒートシンクと、
外部環境に繋がる第２のヒートシンクと、
前記第１のヒートシンクと前記第２のヒートシンクとの間に配置された熱電モジュールと、
前記第１のヒートシンクと前記第２のヒートシンクの下方に配置され、前記第１のヒートシンクにおいて凝縮された水を収集し、前記凝縮された水を供給して前記第２のヒートシンクを冷却する収集部と、
を備える、請求項１記載のペットシェルタ。
【請求項１４】
前記第１のヒートシンクと前記第２のヒートシンクは、それぞれ下端部を有し、前記第１のヒートシンクの前記下端部は、前記第２のヒートシンクの前記下端部より高い位置に配置され、
前記収集部は、前記第１のヒートシンクの下方に配置された高端部と、前記第２のヒートシンクの前記下端部の下方に十分な近さで配置された低端部とを有し、
これにより、前記凝縮水は、前記収集部の前記高端部から前記低端部へ流動し、前記第２のヒートシンクに接触して冷却する、請求項１３記載のペットシェルタ。
【請求項１５】
前記第１のフレームは、更に、
前記第１のフレームに取り付けられ、前記入口を定め、断熱のための空気を間に閉じ込める二重層のカーテンを備える、請求項４記載のペットシェルタ。
【請求項１６】
前記熱導体は、アルミニウム製である、請求項５記載のペットシェルタ。
【請求項１７】
前記断熱材は、発泡体製である、請求項６記載のペットシェルタ。
【請求項１８】
前記断熱材は、前記第１のヒートシンクと前記第２のヒートシンクから放出される熱により前記断熱材が損傷を受けるのを回避するために、前記第１のヒートシンクと前記第２のヒートシンクのそれぞれから十分な距離を置いて配置される、請求項６記載のペットシェルタ。
【請求項１９】
前記ハウジングは、実質的に断熱される、請求項１記載のペットシェルタ。
【考案の詳細な説明】
【技術分野】
【０００１】
本考案は、ペットシェルタに関し、特に、温度管理されたペットシェルタに関する。
【背景技術】
【０００２】
ペットが原産地とは大きく異なる気候環境で暮らすことは一般的である。例えば、適した温度より大幅に高い又は低い温度で、或いは、適した湿度より大幅に高い湿度で、ペットが暮らすことは一般的である。部屋の温度又は湿度といったペットシェルタ内部の条件を、ペットに適切に維持することは極めて重要である。
【０００３】
米国特許公報第２００５／００５６２３２Ａ１号は、熱電冷却器を含むペットハウスを開示している。熱電モジュールは、温度管理されたペットシェルタにおいて使用される一般的な冷暖房機器である。
【考案の開示】
【考案が解決しようとする課題】
【０００４】
しかしながら、ペットがペットハウス内部と外部環境との間を通過する時、ペットが受ける温度又は湿度の急激な変化は、健康問題を引き起こす。例えば、ペットは、風邪をひいたり、皮膚感染を患ったりする恐れある。ペットハウスと外部環境との間を通過することでペットが経験する温度差を十分に減らすことができれば、こうした健康問題は回避し得る。
【０００５】
また、熱電モジュールは、加熱面と冷却面とを近接して含み、一方が他方の性能に影響することから、あまり効率的ではないことも多い。例えば、冷却面を使用してペットハウス内部を冷却する場合、加熱面で発生し、対応するヒートシンクから放散される熱は、冷却面及び冷却ヒートシンクの温度を高め、冷却性能に影響を与える。
【０００６】
上記の例では、加熱面のヒートシンクの温度を更に低下させて、冷却面及び冷却ヒートシンクへの熱効果を低減可能な方法が存在するべきである。
【０００７】
本考案の目的は、ペットシェルタの内部と外部環境との間を通過する時にペットが経験する温度差を減らすことである。
【課題を解決するための手段】
【０００８】
本考案の実施形態は、温度管理された部屋と外部環境との間に中間の温度の部屋を提供する。
【０００９】
本考案の別の実施形態は、中間の部屋へ直接入る状態から逸れるように、温度管理装置により生じた気流の向きを変えさせる空気ディフレクタを含む。
【００１０】
本考案の別の実施形態は、２つの部屋を分離するフレームに対して気流を発生させる温度管理装置を含む。フレームは、中間の部屋へ直接入る状態から逸れるように気流の向きを変えさせる。
【００１１】
本考案の別の実施形態は、屋根と、上部で屋根に接続するフレームと、に対して気流を発生させる温度管理装置を含む。フレームは、中間の部屋へ直接入る状態から逸れるように気流の向きを変えさせる。
【００１２】
本考案の別の実施形態は、ヒートシンクを有する熱電モジュールを含む。ヒートシンクは、伝熱効果を低減するために熱電モジュールから十分な距離だけ離れている。
【００１３】
本考案の別の実施形態は、ヒートシンクを有する熱電モジュールを含む。ヒートシンクは、伝熱効果を低減するために熱電モジュールと断熱材により分離されている。
【００１４】
本考案の別の実施形態は、第１のヒートシンクにおいて凝縮した水を集める収集器を含む。集められた水は第２のヒートシンクを冷却するのに使用される。
【００１５】
本考案の別の実施形態は、第２のヒートシンクの下端部より高い位置に下端部を有する第１のヒートシンクと、第１のヒートシンクにおいて凝縮した水を収集するための収集器とを含む。収集器は、凝縮水が収集されて第２のヒートシンクの下端部へ流動して第２のヒートシンクを冷却するように、第１のヒートシンクの下方に高端部を有し、第２のヒートシンクの下方に低端部を有する。
【００１６】
本考案の上記その他の態様、特徴、及び利点は、以下の好適な実施形態の詳細な説明を添付図面と併せて考慮することで更に明らかとなろう。
【考案を実施するための最良の形態】
【００１７】
・ペットシェルタの構造
図１は、本考案の実施形態によるペットシェルタの正面斜視図である。図２は、屋根及び側壁を図示しない図１のペットシェルタの正面斜視図である。図３は、図１のペットシェルタのフレームの斜視図である。図４は、内部の気流の循環を示す、図１のペットシェルタの２つの部屋の断面図である。図１及び２に例示したように、本考案の好適な実施形態は、第１の部屋８０と第２の部屋９０とを含むペットシェルタ１０である。ペットシェルタ１０のハウジング２０は、屋根２２と、２枚の側壁２４と、床２６と、ドアフレーム５０と、中間フレーム６０と、後壁７０とを含む。
【００１８】
図３に示したように、ドアフレーム５０及び中間フレーム６０は、それぞれ、床２６側の対応するスロット２７に結合する突出部３２を各底端部に有する。前部と後部とを有する床２６は、更に、後壁７０の底部を収容及び支持するために、十分な深さの溝３４を後部に含む。トレイ２８は、ペットの便を受けるために床２６の上に配置され、便の処分及び洗浄のために取り外し可能である。
【００１９】
屋根２２は、ハウジングを容易に組み立てられるように、例えば、面ファスナー４２（例えば、ベルクロ（登録商標）テープ）で、ドアフレーム５０、中間フレーム６０、及び後壁７０の上部に取り付けられる。屋根２２及び側壁２４は、綿等の断熱材製の柔らかいクッション層にしてよい。側壁２４は、屋根２２の底部と、ドアフレーム５０、中間フレーム６０、及び後壁７０の側部とに、面ファスナーにより取り付けてよい。
【００２０】
ドアフレーム５０は、ペットの出入りのための入口５２を含む。ドアフレーム５０は、同じく入口５２を定めると共に、空気を間に閉じ込めて更に優れた断熱性を提供する二重層のカーテン５４を含んでもよい。一例として、カーテン５４は、プラスチック製にしてよい。
【００２１】
温度管理装置１００は、外部環境より暖かい又は寒い温度を維持するために後壁７０に取り付ける。図２及び４に例示したように、中間フレーム６０は、ペットシェルタ１０を第１の部屋８０と第２の部屋９０とに分割し、ペットが行き来する開口部６２を備える。第１の部屋８０は、第２の部屋９０と外部環境との間の中間温度帯を有する中間の部屋の役割を果たす。
【００２２】
温度管理装置１００は、第２の部屋９０内への暖気流又は冷気流を発生させ、ペットに適切な温度を維持する。図４に示したように、好適な実施形態では、上昇気流が屋根２２に向けて生成され、その後、第２の部屋９０を循環する。空気ディフレクタ構造６６（図２）は、中間フレーム６０に形成され、気流が第１の部屋８０に直接入る状態から逸れるように気流の向きを変える。この実施形態において、空気ディフレクタ構造６６は、中間フレーム６０の上部に形成されたアーチであり、屋根２２に沿った気流の向きを変える。空気ディフレクタ構造６６は、温度管理装置１００からの気流の方向に応じて、中間フレーム６０の別の位置で別の形状を有してもよい。
【００２３】
向きを変えられた気流は、第２の部屋９０を循環し、第１の部屋８０での空気循環を引き起こす。空気は第２の部屋９０から第１の部屋８０へ拡散するが、気流が第１の部屋８０へ直接流入するのを防止しており、第１の部屋８０と第２の部屋９０との間には温度差が形成される。
【００２４】
温度管理装置１００は、気流を発生させる機器に制限されない。例えば、温度管理装置として放射ヒータを使用する場合には、中間フレームが第１の部屋８０と第２の部屋９０との間に断熱壁を形成し、第１の部屋８０に中間温度帯を提供するように、中間フレーム６０は、より小さな開口部６２を備えた断熱材で作成してもよい。
【００２５】
・温度管理装置
図５は、本考案の実施形態による後壁と温度管理装置との分解図である。図６は、図５の温度管理装置の断面図である。図７は、通過する気流の方向を示す、図５の温度管理装置の断面図である。図８は、内部の凝縮水の流れを示す、図５の温度管理装置の断面図である。図９は、図１のペットシェルタの背面斜視図である。図５、６、及び７に例示したように、温度管理装置１００は、後壁７０と一体化したケース１０２に配置される。カバー１０３は、外部環境に繋がっている側でケース１０２に取り付ける。
【００２６】
温度管理装置１００は、第１のヒートシンク１１５と第２のヒートシンク１２５との間に配置された熱電モジュール１５０を含む。熱電モジュール１５０は、温度管理装置に電流を流す時、加熱面と冷却面との間に温度差を発生させる。電流の方向を反転させると、熱電モジュール１５０の加熱面と冷却面とは逆になる。したがって、熱電モジュール１５０は、流す電流を調整することで、ペットシェルタ１０の暖房又は冷房に使用し得る。
【００２７】
第１のヒートシンク１１５は、ペットシェルタ１０の内部に繋がり、第２のヒートシンク１２５は、外部環境に繋がる。ヒートシンクは、接触する熱電モジュール１５０からの熱を吸収及び放出する金属製器具である。ヒートシンクは、放熱のための大きな表面積を提供するために、平坦な垂直面と、垂直面から突出するフィンの列とにしてもよい。
【００２８】
２つのヒートシンクを互いから引き離すことで第１のヒートシンク１１５と第２のヒートシンク１２５との間の伝熱効果を低減可能である場合、熱電モジュール１５０は、更に効率的となる。伝熱効果は、冷房ヒートシンクに対する暖房ヒートシンクによる加温効果と、その逆の、暖房ヒートシンクに対する冷房ヒートシンクによる冷却効果とを含む。２つのヒートシンクを互いから引き離すため、更に熱導体１５５が２つのヒートシンクの間に配置されている。熱導体１５５により、第２のヒートシンク１２５と熱電モジュール１５０との熱的な接続が維持される。熱導体１５５は、アルミニウムブロックにしてもよい。
【００２９】
熱導体１５５を実質的に取り囲む断熱材１６０が２つのヒートシンク間に配置され、更なる断熱をヒートシンク間に提供し、熱導体１５５及び熱電モジュール１５０からの熱損失を抑制する。
【００３０】
断熱材１６０は、発泡体で作成してよく、ヒートシンクから一定の距離、例えば、３ｍｍ（ミリメートル）離して位置決めし、断熱材１６０がヒートシンクにより損傷を受けるのを回避し、断熱材１６０に対するヒートシンクからの伝熱効果を低減する。こうした配置により、第１のヒートシンク１１５及び第２のヒートシンク１２５では、熱の放出のために空気に露出される表面積が増加する。
【００３１】
図７に例示したように、第１のファン１１０及び第２のファン１２０は、それぞれ第１のヒートシンク１１５及び第２のヒートシンク１２５の前に配置され、ヒートシンクを通過する気流を生成する。ケース１０２は、第２の部屋９０及び外部環境へ気流が入るように、第１の通気孔１１７及びカバー１０３に接する第２の通気孔１２７を含む。
【００３２】
第１のヒートシンク１１５は、熱電モジュール１５０に加える電流の方向に応じて冷却又は加温効果をもたらし得るものであり、第２のヒートシンク１２５は反対の効果を有する。第２のファン１２０は、第２のヒートシンク１２５を通る空気を送り、第１のヒートシンク１１５への伝熱効果を低減する。
【００３３】
ケース１０２のそれぞれの側には、安全シールド１６４を設け、ペットがファンに触れるのを防止すると共に、フィルタ１６２を設け、ファンによりヒートシンクへ送られる空気中の埃を濾過する。
【００３４】
第１のヒートシンク１１５は、冷たい側のヒートシンクとして、冷却効果をもたらす場合、第１のヒートシンクの表面において空気中の蒸気を水へと凝縮させるため、更に、除湿器としても機能する。ケース１０２の底部１０５は、第１のヒートシンク１１５の下方に図８の高端部１０４を有し、第２のヒートシンク１２５の下方に低端部１０６を有する。高端部１０４は、第１のヒートシンク１１５からの凝縮水を収集する。凝縮水は、高端部１０４から、ケース底部１０５の低端部１０６へ流動する。
【００３５】
第２のヒートシンク１２５の下端部１２６は、ケース底部１０５の低端部１０６の近くに位置決めされ、流動する凝縮水に接触する。凝縮水は、温かい第２のヒートシンク１２５から熱を運び去る役割を果たすため、第１のヒートシンク１１５への伝熱効果を減少させる。排水口１０９は、低端部１０６に設けられ、凝縮水をケース底部１０５の外へ排出する。
【００３６】
別の実施形態では、ケース底部１０５を傾け、凝縮水が第１のヒートシンク１１５から第２のヒートシンク１２５に向かって流れるようにする。
【００３７】
図５に示したように、後壁７０は、断熱用の空気を間に入れた２つの部分７２、７４を含んでよい。図５及び９に示したように、配水管１９０により、排水口１０９を、後壁７０に取り付けた水タンク２１０に接続し、凝縮水を収集する。換気扇２２０は、後壁７０に取り付け、ペットシェルタ１０の換気を行う。
【００３８】
電子制御ユニット２３０は、第２の部屋９０において維持すべき温度をユーザが設定するために、温度管理装置１００に接続する。電子制御ユニット２３０は、熱電モジュールに通す電流を制御し、温度管理装置１００の暖房又は冷房効果を調節する。
【００３９】
３つ以上の部屋が存在してもよく、部屋は同じ高さに制限されない。別の実施形態において、ペットシェルタ１０は、３つ以上の部屋に分割される。更なる実施形態において、部屋は、異なる高さに配置される。
【００４０】
以上、本考案について開示実施形態を参照して詳細に説明してきたが、当業者には本考案の範囲内にある様々な変形例が明らかとなろう。一実施形態に関して説明した特徴は、一般に他の実施形態にも適用し得ることは理解されよう。
【図面の簡単な説明】
【００４１】
【図１】本考案の実施形態によるペットシェルタの正面斜視図である。
【図２】屋根及び側壁を図示しない図１のペットシェルタの正面斜視図である。
【図３】図１のペットシェルタのフレームの斜視図である。
【図４】内部の気流の循環を示す、図１のペットシェルタの２つの部屋の断面図である。
【図５】本考案の実施形態による後壁と温度管理装置との分解図である。
【図６】図５の温度管理装置の断面図である。
【図７】通過する気流の方向を示す、図５の温度管理装置の断面図である。
【図８】内部の凝縮水の流れを示す、図５の温度管理装置の断面図である。
【図９】図１のペットシェルタの背面斜視図である。
【図１】
0003136351.tif 000003
【図２】
0003136351.tif 000004
【図３】
0003136351.tif 000005
【図４】
0003136351.tif 000006
【図５】
0003136351.tif 000007
【図６】
0003136351.tif 000008
【図７】
0003136351.tif 000009
【図８】
0003136351.tif 000010
【図９】
0003136351.tif 000011